(57)【特許請求の範囲】
【請求項１】
本体を含み、前記本体の上側面には立板が固定的に設置され、前記立板の中には右方に開口した昇降チャンバが設置され、前記昇降チャンバの左壁には上げ板が上下にスライド可能に設置され、前記本体の内壁の中には第一モータが固定的に嵌め込まれており、前記昇降チャンバの頂壁には円柱が回転可能に設置され、前記円柱のうち下方に延伸する部分は前記上げ板を貫通し、且つ前記上げ板とネジ山で連結され、さらに前記円柱の下側面は前記第一モータと伝動可能に連結され、前記立板の右側上部には切断を行える切断輪が設置され、前記切断輪の上側には前記切断輪を回転させられ、且つ弾性切断機能を有する切断機構が設置され、前記上げ板の右側面には支持ブロックが固定的に設置され、前記支持ブロックの上側には輔助ブロックが設置され、前記切断機構は前記輔助ブロックの右側面に固定的に設置され、前記支持ブロックの右側面には上下対称の固定ブロックが二つ固定的に設置され、前記固定ブロックのうち互いに近接した側面にはいずれも挟みブロックが固定的に設置され、二つの前記挟みブロックの間には開閉可能な環状剥皮機構がスライド可能に設置され、前記環状剥皮機構はカシアを包むことができ、且つ回転する時に皮むきを輔助でき、前記支持ブロックの中には歯車チャンバが設置され、前記歯車チャンバの中には同時に前記輔助ブロックの上下移動と前記環状剥皮機構の回転を制御できる制御機構が設置され、前記環状剥皮機構は包みリングを含み、前記包みリングの内輪の中には皮むきブロックが設置され、前記皮むきブロックの中には弾性皮むきを行える皮むき機構が設置されていることを特徴とする皮むきでき且つ調節可能なカシア皮むき器。
【請求項２】
前記切断機構は方形箱を含み、前記方形箱の中には方形チャンバが設置され、前記方形箱の下側には切断ブロックが固定的に設置され、前記切断ブロックの後側面には切断軸が回転可能に設置され、前記切断輪は前記切断軸の外周に固定的に設置され、前記切断ブロックの中には伝動チャンバが設置され、前記切断軸のうち前方に延伸する部分は前記伝動チャンバの中に延在し、且つ前記切断軸の前側面には第一傘歯車が固定的に設置され、前記伝動チャンバの頂壁には伝動軸が回転可能に設置され、前記伝動軸の底面には第二傘歯車が固定的に設置され、前記第二傘歯車と前記第一傘歯車とは噛み合っており、前記方形チャンバの右壁にはスプラインスリーブが回転可能に設置され、前記スプラインスリーブの外周には第三傘歯車が固定的に設置され、前記伝動軸のうち上方に延伸する部分は前記方形チャンバの中に延在し、且つ前記伝動軸の頂面には第四傘歯車が固定的に設置され、前記第四傘歯車と前記第三傘歯車とは噛み合っていることを特徴とする請求項１に記載の皮むきでき且つ調節可能なカシア皮むき器。
【請求項３】
前記輔助ブロックの右側面には連結ブロックが固定的に設置され、前記輔助ブロックの中には第二モータが固定的に嵌め込まれており、前記第二モータの右側面にはスプライン軸が伝動可能に連結され、前記スプライン軸のうち右方に延伸する部分は前記連結ブロックと前記方形箱とを貫通し、且つ前記方形チャンバの中に延在し、さらに前記スプラインスリーブとスプラインで連結され、前記スプライン軸と前記連結ブロックとは遊嵌され、前記連結ブロックの中には右方に開口し、且つ上下対称の弾力チャンバが二つ設置され、前記弾力チャンバの内壁の間にはいずれもスライド棒がスライド可能に設置され、前記スライド棒の右側面はいずれも前記方形箱の左側面と固定的に連結され、前記スライド棒の左側面と前記弾力チャンバの左壁との間には第一ばねが装着されていることを特徴とする請求項２に記載の皮むきでき且つ調節可能なカシア皮むき器。
【請求項４】
前記制御機構はスクリューを含み、前記支持ブロックの中には歯車チャンバが設置され、前記歯車チャンバの底壁の中には第三モータが固定的に嵌め込まれており、前記スクリューと前記第三モータとは伝動可能に連結され、前記輔助ブロックの中には下方に開口したネジ山チャンバが設置され、前記スクリューのうち上方に延伸する部分は前記歯車チャンバの頂壁を貫通し、且つ外界に延在し、前記スクリューのうち外界に延在する部分は前記ネジ山チャンバの内壁とネジ山で連結され、前記支持ブロックの頂面には二つの左右対称のスライド柱が固定的に設置され、前記スライド柱と前記輔助ブロックとはスライド可能に連結され、前記スクリューのうち前記歯車チャンバの中に位置する部分の外周には第五傘歯車が固定的に設置され、前記歯車チャンバの右壁には横軸が回転可能に設置され、前記横軸の左側面には第六傘歯車が固定的に設置され、前記第六傘歯車と前記第五傘歯車とは噛み合っていることを特徴とする請求項１に記載の皮むきでき且つ調節可能なカシア皮むき器。
【請求項５】
前記包みリングは二つ左右対称に設置され、二つの前記包みリングの間にはヒンジ連結ブロックが二つ上下対称に装着され、二つの前記包みリングのうち互いに離れた側面にはいずれもバックルが二つ上下対称に、且つ固定的に設置され、前記包みリングの中にはいずれも環状チャンバが設置され、前記環状チャンバにはいずれも外側に開口した連結チャンバが連通するように設置され、前記横軸のうち右方に延伸する部分は前記連結チャンバを貫通し、且つ前記環状チャンバの中に延在し、さらに前記横軸の右側面には歯車が固定的に設置され、前記環状チャンバの頂壁にはいずれも歯が付いており、前記歯車と前記環状チャンバの頂壁とは噛み合っていることを特徴とする請求項１に記載の皮むきでき且つ調節可能なカシア皮むき器。
【請求項６】
左側に位置する前記包みリングの内側面には油圧シリンダーが二つ上下対称に、且つ固定的に設置され、前記皮むきブロックの中には右方に開口した固定チャンバが二つ左右対称に設置され、前記油圧シリンダーと前記固定チャンバの左壁とは伝動可能に連結されていることを特徴とする請求項５に記載の皮むきでき且つ調節可能なカシア皮むき器。
【請求項７】
前記皮むき機構は振動板を含み、前記振動板の左側面には皮むき刃が固定的に設置され、前記切断輪が切断した後に、前記カシアの中には切断溝が形成され、前記皮むき刃は前記切断溝の中に入ることができ、前記皮むきブロックの中には左方に開口した振動チャンバが設置され、前記振動板は前記振動チャンバの右壁にスライド可能に設置され、前記振動板と前記振動チャンバの上下側壁との間にはいずれも第二ばねが装着され、前記振動チャンバの右側には動力チャンバが連通するように設置され、前記動力チャンバの後壁には第四モータが固定的に設置され、前記第四モータの前側面にはモータ軸が伝動可能に連結され、前記動力チャンバの後壁には回転軸が二つ上下対称に、且つ回転可能に設置され、前記回転軸の外周にはいずれも扇形輪が固定的に設置され、二つの前記回転軸と前記モータ軸との間にはベルトが装着され、前記振動板の右端面には歯が付いており、前記扇形輪はいずれも前記振動板の右側面と噛み合っていることを特徴とする請求項１に記載の皮むきでき且つ調節可能なカシア皮むき器。
【発明の詳細な説明】
【技術分野】
【０００１】
本発明はカシア皮むき技術分野を取り上げ、具体的には皮むきでき且つ調節可能なカシア皮むき器である。
【背景技術】
【０００２】
カシアの樹皮はよくスパイスや食材や生薬として利用され、そのため、カシアの皮むきは必要不可欠な工程である。市販の皮むき器は良くないため、皮をむく時に、基本的には大量の労働者を雇って人工手動で皮むきをする。しかし、人力による皮むきは、効率が低く、精確性も欠けるため、剥けた皮の厚さが不均一となり、また、木自体にもダメージを負わせる。一般的に、カシアに対する皮むきが精確であれば、カシアは一年ほど生存でき、来年にまた皮むきをできるが、木がダメージを負うと、生存できなくなり、コストを極度に上げる。さらに、皮のむき方に関しては、市販されているものは基本的に縦から皮むきをする用具であり、それでは、むき方が非常に不均一である。
【先行技術文献】
【特許文献】
【０００３】
【特許文献１】中国特許出願公開第１０９９１０１２５号明細書
【発明の概要】
【発明が解決しようとする課題】
【０００４】
皮むきでき且つ調節可能なカシア皮むき器を提供し、既存技術における上記の欠陥を解消することを目的とする。
【課題を解決するための手段】
【０００５】
本発明の実施例による皮むきでき且つ調節可能なカシア皮むき器は、本体を含み、前記本体の上側面には立板が固定的に設置され、前記立板の中には右方に開口した昇降チャンバが設置され、前記昇降チャンバの左壁には上げ板が上下にスライド可能に設置され、前記本体の内壁の中には第一モータが固定的に嵌め込まれており、前記昇降チャンバの頂壁には円柱が回転可能に設置され、前記円柱のうち下方に延伸する部分は前記上げ板を貫通し、且つ前記上げ板とネジ山で連結され、さらに前記円柱の下側面は前記第一モータと伝動可能に連結され、前記立板の右側上部には切断を行える切断輪が設置され、前記切断輪の上側には前記切断輪を回転させられ、且つ弾性切断機能を有する切断機構が設置され、前記上げ板の右側面には支持ブロックが固定的に設置され、前記支持ブロックの上側には輔助ブロックが設置され、前記切断機構は前記輔助ブロックの右側面に固定的に設置され、前記支持ブロックの右側面には上下対称の固定ブロックが二つ固定的に設置され、前記固定ブロックのうち互いに近接した側面にはいずれも挟みブロックが固定的に設置され、二つの前記挟みブロックの間には開閉可能な環状剥皮機構がスライド可能に設置され、前記環状剥皮機構はカシアを包むことができ、且つ回転する時に皮むきを輔助でき、前記支持ブロックの中には歯車チャンバが設置され、前記歯車チャンバの中には同時に前記輔助ブロックの上下移動と前記環状剥皮機構の回転を制御できる制御機構が設置され、前記環状剥皮機構は包みリングを含み、前記包みリングの内輪の中には皮むきブロックが設置され、前記皮むきブロックの中には弾性皮むきを行える皮むき機構が設置されている。
【０００６】
さらなる技術プランとして、前記切断機構は方形箱を含み、前記方形箱の中には方形チャンバが設置され、前記方形箱の下側には切断ブロックが固定的に設置され、前記切断ブロックの後側面には切断軸が回転可能に設置され、前記切断輪は前記切断軸の外周に固定的に設置され、前記切断ブロックの中には伝動チャンバが設置され、前記切断軸のうち前方に延伸する部分は前記伝動チャンバの中に延在し、且つ前記切断軸の前側面には第一傘歯車が固定的に設置され、前記伝動チャンバの頂壁には伝動軸が回転可能に設置され、前記伝動軸の底面には第二傘歯車が固定的に設置され、前記第二傘歯車と前記第一傘歯車とは噛み合っており、前記方形チャンバの右壁にはスプラインスリーブが回転可能に設置され、前記スプラインスリーブの外周には第三傘歯車が固定的に設置され、前記伝動軸のうち上方に延伸する部分は前記方形チャンバの中に延在し、且つ前記伝動軸の頂面には第四傘歯車が固定的に設置され、前記第四傘歯車と前記第三傘歯車とは噛み合っている。
【０００７】
さらなる技術プランとして、前記輔助ブロックの右側面には連結ブロックが固定的に設置され、前記輔助ブロックの中には第二モータが固定的に嵌め込まれており、前記第二モータの右側面にはスプライン軸が伝動可能に連結され、前記スプライン軸のうち右方に延伸する部分は前記連結ブロックと前記方形箱とを貫通し、且つ前記方形チャンバの中に延在し、さらに前記スプラインスリーブとスプラインで連結され、前記スプライン軸と前記連結ブロックとは遊嵌され、前記連結ブロックの中には右方に開口し、且つ上下対称の弾力チャンバが二つ設置され、前記弾力チャンバの内壁の間にはいずれもスライド棒がスライド可能に設置され、前記スライド棒の右側面はいずれも前記方形箱の左側面と固定的に連結され、前記スライド棒の左側面と前記弾力チャンバの左壁との間には第一ばねが装着されている。
【０００８】
さらなる技術プランとして、前記制御機構はスクリューを含み、前記支持ブロックの中には歯車チャンバが設置され、前記歯車チャンバの底壁の中には第三モータが固定的に嵌め込まれており、前記スクリューと前記第三モータとは伝動可能に連結され、前記輔助ブロックの中には下方に開口したネジ山チャンバが設置され、前記スクリューのうち上方に延伸する部分は前記歯車チャンバの頂壁を貫通し、且つ外界に延在し、前記スクリューのうち外界に延在する部分は前記ネジ山チャンバの内壁とネジ山で連結され、前記支持ブロックの頂面には二つの左右対称のスライド柱が固定的に設置され、前記スライド柱と前記輔助ブロックとはスライド可能に連結され、前記スクリューのうち前記歯車チャンバの中に位置する部分の外周には第五傘歯車が固定的に設置され、前記歯車チャンバの右壁には横軸が回転可能に設置され、前記横軸の左側面には第六傘歯車が固定的に設置され、前記第六傘歯車と前記第五傘歯車とは噛み合っている。
【０００９】
さらなる技術プランとして、前記包みリングは二つ左右対称に設置され、二つの前記包みリングの間にはヒンジ連結ブロックが二つ上下対称に装着され、二つの前記包みリングのうち互いに離れた側面にはいずれもバックルが二つ上下対称に、且つ固定的に設置され、前記包みリングの中にはいずれも環状チャンバが設置され、前記環状チャンバにはいずれも外側に開口した連結チャンバが連通するように設置され、前記横軸のうち右方に延伸する部分は前記連結チャンバを貫通し、且つ前記環状チャンバの中に延在し、さらに前記横軸の右側面には歯車が固定的に設置され、前記環状チャンバの頂壁にはいずれも歯が付いており、前記歯車と前記環状チャンバの頂壁とは噛み合っている。
【００１０】
さらなる技術プランとして、左側に位置する前記包みリングの内側面には油圧シリンダーが二つ上下対称に、且つ固定的に設置され、前記皮むきブロックの中には右方に開口した固定チャンバが二つ左右対称に設置され、前記油圧シリンダーと前記固定チャンバの左壁とは伝動可能に連結されている。
【００１１】
さらなる技術プランとして、前記皮むき機構は振動板を含み、前記振動板の左側面には皮むき刃が固定的に設置され、前記切断輪が切断した後に、前記カシアの中には切断溝が形成され、前記皮むき刃は前記切断溝の中に入ることができ、前記皮むきブロックの中には左方に開口した振動チャンバが設置され、前記振動板は前記振動チャンバの右壁にスライド可能に設置され、前記振動板と前記振動チャンバの上下側壁との間にはいずれも第二ばねが装着され、前記振動チャンバの右側には動力チャンバが連通するように設置され、前記動力チャンバの後壁には第四モータが固定的に設置され、前記第四モータの前側面にはモータ軸が伝動可能に連結され、前記動力チャンバの後壁には回転軸が二つ上下対称に、且つ回転可能に設置され、前記回転軸の外周にはいずれも扇形輪が固定的に設置され、二つの前記回転軸と前記モータ軸との間にはベルトが装着され、前記振動板の右端面には歯が付いており、前記扇形輪はいずれも前記振動板の右側面と噛み合っている。
【発明の効果】
【００１２】
本発明は以下のプラス効果を有する：本発明はカシアに対する皮むき作業を簡単にし、大量の労働者を雇わなくて済み、作業員も過大の労力を使う必要もなく、装置は部分調節した後に、自動的に皮むきをでき、皮のむき方は統一で、またより精確であり、カシアが皮を剥けられた後も一年生存でき、有効的にコストを控え、資源も節約し、切断機構は切断を行え、後ほどの皮むきに便利を与え、環状剥皮機構は木幹をめぐって回転でき、同じく皮むきに便利を与え、制御機構は前記切断機構に切断する時に上下に昇降させられ、より長い距離で切断でき、同時に前記環状剥皮機構を回転させられ、両者が同時に進んで時間を省き、また、皮むき機構は上下に飛び跳ねるように皮むきをでき、より簡単に皮むきを行える。
【図面の簡単な説明】
【００１３】
下記に図１〜５を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の内部全体構成略図
【図２】図２は本発明の作動の時の状態図
【図３】図３は図１におけるＡのところの拡大略図
【図４】図４は図１におけるＢのところの拡大略図
【図５】図５は図２におけるＣのところの拡大略図
【発明を実施するための形態】
【００１５】
図１〜５を参照し、本発明の実施例による皮むきでき且つ調節可能なカシア皮むき器は、本体１６を含み、前記本体１６の上側面には立板１１が固定的に設置され、前記立板１１の中には右方に開口した昇降チャンバ１２が設置され、前記昇降チャンバ１２の左壁には上げ板１４が上下にスライド可能に設置され、前記本体１６の内壁の中には第一モータ１５が固定的に嵌め込まれており、前記昇降チャンバ１２の頂壁には円柱１３が回転可能に設置され、前記円柱１３のうち下方に延伸する部分は前記上げ板１４を貫通し、且つ前記上げ板１４とネジ山で連結され、さらに前記円柱１３の下側面は前記第一モータ１５と伝動可能に連結され、前記立板１１の右側上部には切断を行える切断輪３１が設置され、前記切断輪３１の上側には前記切断輪３１を回転させられ、且つ弾性切断機能を有する切断機構１０１が設置され、前記上げ板１４の右側面には支持ブロック３５が固定的に設置され、前記支持ブロック３５の上側には輔助ブロック１７が設置され、前記切断機構１０１は前記輔助ブロック１７の右側面に固定的に設置され、前記支持ブロック３５の右側面には上下対称の固定ブロック３６が二つ固定的に設置され、前記固定ブロック３６のうち互いに近接した側面にはいずれも挟みブロック３７が固定的に設置され、二つの前記挟みブロック３７の間には開閉可能な環状剥皮機構１０３がスライド可能に設置され、前記環状剥皮機構１０３はカシア５０を包むことができ、且つ回転する時に皮むきを輔助でき、前記支持ブロック３５の中には歯車チャンバ３８が設置され、前記歯車チャンバ３８の中には同時に前記輔助ブロック１７の上下移動と前記環状剥皮機構１０３の回転を制御できる制御機構１０２が設置され、前記環状剥皮機構１０３は包みリング４９を含み、前記包みリング４９の内輪の中には皮むきブロック５８が設置され、前記皮むきブロック５８の中には弾性皮むきを行える皮むき機構１０４が設置されている。
【００１６】
また、一つの実施例においては、前記切断機構１０１は方形箱２１を含み、前記方形箱２１の中には方形チャンバ２２が設置され、前記方形箱２１の下側には切断ブロック２７が固定的に設置され、前記切断ブロック２７の後側面には切断軸２９が回転可能に設置され、前記切断輪３１は前記切断軸２９の外周に固定的に設置され、前記切断ブロック２７の中には伝動チャンバ６７が設置され、前記切断軸２９のうち前方に延伸する部分は前記伝動チャンバ６７の中に延在し、且つ前記切断軸２９の前側面には第一傘歯車３０が固定的に設置され、前記伝動チャンバ６７の頂壁には伝動軸２６が回転可能に設置され、前記伝動軸２６の底面には第二傘歯車２８が固定的に設置され、前記第二傘歯車２８と前記第一傘歯車３０とは噛み合っており、前記方形チャンバ２２の右壁にはスプラインスリーブ２３が回転可能に設置され、前記スプラインスリーブ２３の外周には第三傘歯車２４が固定的に設置され、前記伝動軸２６のうち上方に延伸する部分は前記方形チャンバ２２の中に延在し、且つ前記伝動軸２６の頂面には第四傘歯車２５が固定的に設置され、前記第四傘歯車２５と前記第三傘歯車２４とは噛み合い、
前記スプラインスリーブ２３の回転で前記伝動軸２６を回転させ、それにより、前記切断軸２９は前記切断輪３１を回転連動させられ、即ち前記切断輪３１は切断機能を果たせる。
【００１７】
また、一つの実施例においては、前記輔助ブロック１７の右側面には連結ブロック１９が固定的に設置され、前記輔助ブロック１７の中には第二モータ１８が固定的に嵌め込まれており、前記第二モータ１８の右側面にはスプライン軸２０が伝動可能に連結され、前記スプライン軸２０のうち右方に延伸する部分は前記連結ブロック１９と前記方形箱２１とを貫通し、且つ前記方形チャンバ２２の中に延在し、さらに前記スプラインスリーブ２３とスプラインで連結され、前記スプライン軸２０と前記連結ブロック１９とは遊嵌され、前記連結ブロック１９の中には右方に開口し、且つ上下対称の弾力チャンバ５１が二つ設置され、前記弾力チャンバ５１の内壁の間にはいずれもスライド棒５３がスライド可能に設置され、前記スライド棒５３の右側面はいずれも前記方形箱２１の左側面と固定的に連結され、前記スライド棒５３の左側面と前記弾力チャンバ５１の左壁との間には第一ばね５２が装着され、
前記第二モータ１８の回転で前記スプライン軸２０を回転させられ、そして前記スプラインスリーブ２３を回転させられ、前記切断輪３１が前記カシア５０の表面を圧迫する時に、前記第一ばね５２は収縮し、前記切断輪３１は回転切断した後に、前記第一ばね５２は前記方形箱２１を弾力で動かし、前記方形箱２１は前記切断輪３１を右方へ移動連動させられ、正常切断の深度に達する。
【００１８】
また、一つの実施例においては、前記制御機構１０２はスクリュー３４を含み、前記支持ブロック３５の中には歯車チャンバ３８が設置され、前記歯車チャンバ３８の底壁の中には第三モータ４１が固定的に嵌め込まれており、前記スクリュー３４と前記第三モータ４１とは伝動可能に連結され、前記輔助ブロック１７の中には下方に開口したネジ山チャンバ３３が設置され、前記スクリュー３４のうち上方に延伸する部分は前記歯車チャンバ３８の頂壁を貫通し、且つ外界に延在し、前記スクリュー３４のうち外界に延在する部分は前記ネジ山チャンバ３３の内壁とネジ山で連結され、前記支持ブロック３５の頂面には二つの左右対称のスライド柱３２が固定的にに設置され、前記スライド柱３２と前記輔助ブロック１７とはスライド可能に連結され、前記スクリュー３３のうち前記歯車チャンバ３８の中に位置する部分の外周には第五傘歯車３９が固定的に設置され、前記歯車チャンバ３８の右壁には横軸４２が回転可能に設置され、前記横軸４２の左側面には第六傘歯車４０が固定的に設置され、前記第六傘歯車４０と前記第五傘歯車３９とは噛み合い、
前記第三モータ４１の作動で、前記スクリュー３４と前記横軸４２とを同時に回転させられ、前記スクリュー３４の回転は前記輔助ブロック１７を上下に移動させられ、それにより、前記切断輪３１が切断する時に切断線を延長できる。
【００１９】
また、一つの実施例においては、前記包みリング４９は二つ左右対称に設置され、二つの前記包みリング４９の間にはヒンジ連結ブロック４７が二つ上下対称に装着され、二つの前記包みリング４９のうち互いに離れた側面にはいずれもバックル４２が二つ上下対称に、且つ固定的に設置され、前記包みリング４９の中にはいずれも環状チャンバ４４が設置され、前記環状チャンバ４４にはいずれも外側に開口した連結チャンバ４６が連通するように設置され、前記横軸４２のうち右方に延伸する部分は前記連結チャンバ４６を貫通し、且つ前記環状チャンバ４４の中に延在し、さらに前記横軸４２の右側面には歯車４５が固定的に設置され、前記環状チャンバ４４の頂壁にはいずれも歯が付いており、前記歯車４５と前記環状チャンバ４４の頂壁とは噛み合い、
前記横軸４２の回転で、前記歯車４５は前記包みリング４９を連動させて、二つの前記挟みブロック３７の間で回転させられる。
【００２０】
また、一つの実施例においては、左側に位置する前記包みリング４９の内側面には油圧シリンダー５９が二つ上下対称に、且つ固定的に設置され、前記皮むきブロック５８の中には右方に開口した固定チャンバ６０が二つ左右対称に設置され、前記油圧シリンダー５９と前記固定チャンバ６０の左壁とは伝動可能に連結され、
前記油圧シリンダー５９で前記皮むきブロック５８を前記カシア５０の方向へ移動させられ、皮むきに便利である。
【００２１】
また、一つの実施例においては、前記皮むき機構１０４は振動板５５を含み、前記振動板５５の左側面には皮むき刃５４が固定的に設置され、前記切断輪３１が切断した後に、前記カシア５０の中には切断溝７７が形成され、前記皮むき刃５４は前記切断溝７７の中に入ることができ、前記皮むきブロック５８の中には左方に開口した振動チャンバ５６が設置され、前記振動板５５は前記振動チャンバ５６の右壁にスライド可能に設置され、前記振動板５５と前記振動チャンバ５６の上下側壁との間にはいずれも第二ばね５７が装着され、前記振動チャンバ５６の右側には動力チャンバ６１が連通するように設置され、前記動力チャンバ６１の後壁には第四モータ６５が固定的に設置され、前記第四モータ６５の前側面にはモータ軸６６が伝動可能に連結され、前記動力チャンバ６１の後壁には回転軸６２が二つ上下対称に、且つ回転可能に設置され、前記回転軸６２の外周にはいずれも扇形輪６３が固定的に設置され、二つの前記回転軸６２と前記モータ軸６６との間にはベルト６４が装着され、前記振動板５５の右端面には歯が付いており、前記扇形輪６３はいずれも前記振動板５５の右側面と噛み合い、
前記第四モータ６５の回転で、前記ベルト６４は動力を伝達でき、それにより、二つの前記回転軸６２を回転させられ、さらに前記扇形輪６３を回転させ、前記振動板５５を連動させて上下に振動させ、それにより、前記皮むき刃５４はより簡単で便利に皮むきをできる。
【００２２】
利用時に、第一モータ１５を作動させ、円柱１３を回転させ、それにより、上げ板１４を適した位置に昇降させ、二つの包みリング４９を締め付け、包みリング４９はカシア５０を包み、そして切断輪３１をカシア５０と当接させ、且つ第一ばね５２を圧縮状態にさせ、第二モータ１８と第三モータ４１を作動させ、第二モータ１８の作動でスプライン軸２０を回転させ、さらにスプラインスリーブ２３を回転させ、切断輪３１がカシア５０の表面を圧迫する時に、第一ばね５２は収縮し、切断輪３１が回転切断した後に、第一ばね５２は方形箱２１を弾力で動かし、方形箱２１は切断輪３１を連動させて右方へ移動させ、正常切断の深度に達し、スプラインスリーブ２３の回転で伝動軸２６は回転し、それにより、切断軸２８は切断輪３１を回転連動させ、即ち切断輪３１は切断機能を果たせ、第三モータ４１の作動でスクリュー３４と横軸４２とを同時に回転させ、スクリュー３４の回転は輔助ブロック１７を上下に移動させられ、それにより、切断輪３１が切断する時に切断線を延長でき、切断完了後、上げ板１４を上昇させ、皮むき刃５４を切断点に合わせ、油圧シリンダー５９で皮むきブロック５８をカシア５０の方向へ移動させ、且つ皮むき刃５４を切断溝７７の中に入らせ、横軸４２の回転で歯車４５は包みリング４９を連動させて二つの挟みブロック３７の間で回転させられ、第四モータ６５の作動でベルト６５は動力を伝達でき、それにより、二つの回転軸６２を回転させ、さらに扇形輪６３を回転させ、振動板５５を連動させて上下に振動させ、それにより、皮むき刃５４は簡単で便利に皮むきをできる。
【００２３】
本発明は以下のプラス効果を有する：本発明はカシアに対する皮むき作業を簡単にし、大量の労働者を雇わなくて済み、作業員も過大の労力を使う必要もなく、装置は部分調節した後に、自動的に皮むきをでき、皮のむき方は統一で、またより精確であり、カシアが皮を剥けられた後も一年生存でき、有効的にコストを控え、資源も節約し、切断機構は切断を行え、後ほどの皮むきに便利を与え、環状剥皮機構は木幹をめぐって回転でき、同じく皮むきに便利を与え、制御機構は前記切断機構に切断する時に上下に昇降させられ、より長い距離で切断でき、同時に前記環状剥皮機構を回転させられ、両者が同時に進んで時間を省き、また、皮むき機構は上下に飛び跳ねるように皮むきをでき、より簡単に皮むきを行える。
【００２４】
本分野の従業員が明確できるのは、本発明の主旨と発想から離脱しない場合で、以上の実施例に各種な変形が加えられ、それらの変形がすべて本発明の保護範囲にある。本発明の保護方案は本発明の権利要請書を標準とすべきである。
【要約】
【課題】本発明は高適応性を有する調節可能なカシア皮むき器を開示した。
【解決手段】
本発明は高適応性を有する調節可能なカシア皮むき器を開示し、本体を含み、前記本体の上側面には立板が固定的に設置され、前記立板の中には右方に開口した昇降チャンバが設置され、前記昇降チャンバの左壁には上げ板が上下にスライド可能に設置され、前記本体の内壁の中には第一モータが固定的に嵌め込まれており、前記昇降チャンバの頂壁には円柱が回転可能に設置され、本発明はカシアに対する皮むき作業を簡単にし、大量の労働者を雇わなくて済み、作業員も過大の労力を使う必要もなく、装置は部分調節した後に、自動的に皮むきをでき、皮のむき方は統一で、またより精確であり、カシアが皮を剥けられた後も一年生存でき、有効的にコストを控え、資源も節約できる。
【選択図】図１【図１】
0006714221.tif 000002
【図２】
0006714221.tif 000003
【図３】
0006714221.tif 000004
【図４】
0006714221.tif 000005
【図５】
0006714221.tif 000006